(57)【要約】  【課題】  利用者に何らの手間もかけずに、所定の楽曲を選曲する度に楽曲関連情報を提供でき、かつ、各利用者が表示期間内に効果的な視聴回数で楽曲関連情報を提供できるシステム構築を課題とする。  【解決手段】  カラオケ楽曲に付帯する楽曲関連情報に、予め表示期間と表示回数を定め記録し、任意の利用者が利用者ＩＤを取得し利用者が特定された後に、特定された利用者が楽曲を選曲し予約登録を行った時に、選曲楽曲に表示期間内の楽曲関連情報があり、利用者の視聴回数が、予め定められた個人単位の表示回数未満の場合には、楽曲関連情報を表示するシステムを構築した。【選択図】図１
2009244685.tif 000002
【特許請求の範囲】
【請求項１】
所定のカラオケ楽曲に付帯され、その表示期間が定められた楽曲関連情報と、当該表示期間内において、予め設定された個人単位の表示回数とを記録してなる楽曲関連情報管理テーブルを有してなり、任意の利用者の選曲時に、前記楽曲関連情報を表示するシステムであって、利用者ＩＤ取得手段と、利用者別予約登録手段と、関連情報判別手段と、利用者別視聴回数取得手段と、利用者別関連情報表示判定手段と、楽曲関連情報表示手段と、利用者別視聴回数カウント手段とを有し、
（ア）利用者ＩＤ取得手段とは、利用者ＩＤを取得して利用者を特定するものであり、
（イ）利用者別予約登録手段とは、前記特定された任意の利用者が楽曲を選曲した際、当該利用者ＩＤを当該楽曲ＩＤに紐付けて選曲楽曲を予約登録するものであり、
（ウ）関連情報判別手段とは、当該選曲楽曲に表示期間内の関連情報が付帯されているか否かを判別するものであり、
（エ）利用者別視聴回数取得手段とは、前記関連情報判別手段により、表示期間内の関連情報が付帯されていると判別された場合、各利用者の関連情報視聴回数を記録した利用者別視聴回数管理テーブルを参照し、前記特定された利用者につき、前記選曲楽曲の前記表示期間内の視聴回数を取得するものであり、
（オ）利用者別関連情報表示判定手段とは、前記楽曲関連情報管理テーブルにて記録している、当該選曲楽曲の予め定められた個人単位の表示回数と、前記利用者別視聴回数管理テーブルにて記録している当該利用者の視聴回数を比較し、当該視聴回数が前記予め定められた個人単位の表示回数未満の場合には、楽曲関連情報を表示すると判定するものであり、
（カ）楽曲関連情報表示手段とは、前記利用者別関連情報表示判定手段にて、楽曲関連情報を表示すると判定された場合には、当該所定の表示手段にて楽曲関連情報を表示するものであり、
（キ）利用者別視聴回数カウント手段とは、当該楽曲関連情報を表示した際に、前記利用者別視聴回数管理テーブルに記録している、当該利用者の視聴回数に「１」を加算するものであり、
であることを特徴とする楽曲関連情報表示システム。
【発明の詳細な説明】
【技術分野】
【０００１】
本発明は、選曲楽曲に関連した情報を適宜に表示するカラオケシステムに関する。
【背景技術】
【０００２】
従来、利用者がカラオケ装置にて楽曲を歌唱する場合には、一般的には自身が好んでいるアーティストの楽曲や、または、テレビドラマの主題歌、ＣＭ等で使用されている聞き覚えのある楽曲等を選曲し歌唱している。これら利用者が選曲した楽曲に対してカラオケ装置は、利用者が楽曲検索用の目次本や電子目次本を用いて選曲し予約登録を行った楽曲を、登録順に従い順次演奏するが、最近では、利用者が好んでいるアーティストの情報や楽曲に関連した広告情報等の楽曲関連情報を利用者に告知したりするものもある。このような手法に関して、特許文献１では、楽曲と関連する広告情報を表示期間を定め記憶することにより、記憶されている楽曲が表示期間内に演奏される際には、適宜に広告情報を表示する技術が開示されている。また、特許文献２では、楽曲と楽曲に付帯している有効期間付きのアーティスト情報を、利用者が有効期限内に選曲した際には、アーティストに関するＣＭ（宣伝広告）を表示するか否かを、利用者に選択させる技術が開示されている。
【特許文献１】特開平０８−１９４４５３号公報
【特許文献２】特開平１１−２６５１８８号公報
【発明の開示】
【発明が解決しようとする課題】
【０００３】
しかしながら、特許文献１または、特許文献２共に表示期間付きの広告情報および、アーティスト情報等の楽曲関連情報を楽曲に付帯し、付帯された楽曲を表示期間内に利用者が選曲した場合に、適宜に楽曲関連情報を表示するものである。ただし、特許文献１では、利用者に対し、所定の楽曲を選曲する度に楽曲関連情報を自動的に表示するため、利用者に何らの手間もかけないものの、当初は新鮮さもあり、効果的に楽曲関連情報を提供できるが、表示回数が増えると毎回同じ楽曲関連情報を視聴させることが利用者に不満を感じさせてしまう。一方、特許文献２では、楽曲関連情報を、利用者の指定により、表示期間内であれば何度でも視聴することが可能であるものの、毎回、マニュアル操作にて表示指示しなくてはならず、利用者に手間をかけるという不都合がある。
【０００４】
そこで、本発明では、上記従来の不都合を鑑み、利用者に何らの手間もかけずに、所定の楽曲を選曲する度に楽曲関連情報を提供でき、かつ、各利用者が表示期間内に効果的な視聴回数で楽曲関連情報を提供できるシステム構築を課題とする。
【課題を解決するための手段】
【０００５】
上記課題を鑑み、本発明の請求項１記載の楽曲関連情報表示システムとは、カラオケ楽曲に付帯され、その表示期間が定められた楽曲関連情報と、その表示期間内において、予め設定された個人単位の表示回数とを記録してなる楽曲関連情報管理テーブルを有しており、任意の利用者の選曲時に、楽曲関連情報を表示するシステムであって、すなわち、利用者ＩＤを取得して利用者を特定し、特定された任意の利用者が楽曲を選曲した際、利用者ＩＤをカラオケ楽曲の楽曲ＩＤに紐付けて選曲楽曲を予約登録し、その選曲楽曲に表示期間内の関連情報が付帯されているか否かを判別し、表示期間内の関連情報が付帯されていると判別された場合、各利用者の楽曲関連情報視聴回数を記録した利用者別視聴回数管理テーブルを参照し、特定された利用者の表示期間内の視聴回数を取得し、楽曲関連情報管理テーブルにて記録している、選曲楽曲の予め定められた個人単位の表示回数と、利用者別視聴回数管理テーブルにて記録している利用者の視聴回数を比較し、視聴回数が予め定められた個人単位の表示回数未満の場合には、楽曲関連情報を表示すると判定し、所定の表示手段にて楽曲関連情報を表示した後に、利用者別視聴回数管理テーブルに記録している、利用者の視聴回数に「１」を加算することにより、上記課題を解決するものである。
【発明の効果】
【０００６】
本発明の請求項１記載の楽曲関連情報表示システムによれば、楽曲に付帯される楽曲関連情報を、表示期間と個人単位の視聴回数を予め定め記録し、当該楽曲関連情報が付帯された楽曲を利用者が表示期間内に選曲し予約登録した場合には、記録されている個人単位の視聴回数と、楽曲を選曲し予約登録した利用者の視聴回数を比較し、楽曲関連情報を表示するか否かを、従来の表示期間のみで判定するのではなく、予め定められた個人単位の表示回数と利用者毎の視聴回数も含めて比較し、比較した結果を元に表示するか否かを判定することにより、各利用者が一定の視聴回数で楽曲関連情報を視聴できる。よって、表示期間内では、定められた表示回数以上は表示されず、また、誰でも予め定められた視聴回数内であれば変わりなく視聴することが可能となり、利用者の選曲状況による楽曲関連情報表示の偏りがなくなる。すなわち、利用者に何らの手間もかけずに、所定の楽曲を選曲する度に楽曲関連情報を提供でき、かつ、各利用者が表示期間内に効果的な視聴回数で楽曲関連情報を提供できるといった効果を奏する。
【０００７】
以下に、本発明のカラオケシステムについて最適な実施例を挙げ、先ず、図１に示すカラオケシステムを構成するカラオケ装置のブロック構成図について説明する。
【発明を実施するための最良の形態】
【０００８】
図１は、本発明のカラオケシステム（１）のブロック構成図である。本実施例のカラオケ装置（Ｐ）は、カラオケホスト装置（Ｈ）と通信ネットワークを介して多数接続されており、具体的には、カラオケ装置（Ｐ）とカラオケホスト装置（Ｈ）は、一般公衆回線やＡＤＳＬあるいは光通信回線などを利用した通信ネットワークを介して接続されており、例えば、インターネットを利用したカラオケ事業者が管理するＶＰＮ（Virtual Private Network）を用いて、カラオケホスト装置（Ｈ）と各カラオケ装置（Ｐ）にＩＰアドレスを割り当て、それらＭＡＣ（Media Access Control）アドレスと、このＩＰアドレスとを対応付けしたテーブルを作成して通信処理を行う。
【０００９】
そして、カラオケ装置（Ｐ）とＶＰＮ（Ｎ）を介して接続されるカラオケホスト装置（Ｈ）には、楽曲関連情報管理手段（２）と、当該楽曲関連情報管理手段（２）を用いて、カラオケ楽曲に付帯する関連情報の表示期間と個人単位の表示回数等を定め記録する楽曲関連情報管理テーブル（Ｔ１）と、この楽曲関連情報管理テーブル（Ｔ１）に記録されている楽曲関連情報を各利用者が表示期間内に、何回視聴したのかを記録している利用者別視聴回数管理テーブル（Ｔ２）が設けられている。なお、本実施例では、テーブルへのアクセス時間を考慮し、カラオケホスト装置（Ｈ）と同じ楽曲関連情報管理テーブル（Ｔ１）が、各カラオケ装置（Ｐ）にもダウンロードされて設けられており、カラオケホスト装置（Ｈ）に記録されている楽曲関連情報がカラオケ事業者等により定期的に更新されると、更新された当該楽曲関連情報管理テーブル（Ｔ１）は、カラオケホスト装置（Ｈ）からカラオケ装置（Ｐ）に送られ、カラオケ装置（Ｐ）のハードディスク（１１）／（以下ＨＤＤと称す）内に楽曲関連情報管理テーブル（Ｔ１）として記録される。
【００１０】
次に、このカラオケホスト装置（Ｈ）に接続されるカラオケ装置（Ｐ）は、主に中央制御手段（１０）と、これに接続される各種機能手段およびＨＤＤ（１１）などから構成されており、中央制御装置（１０）は、リモコン装置（Ｒ）に付帯されている利用者ＩＤ取得手段（３）を用いて、取得された利用者ＩＤに対応した利用者を特定し、特定された際に、カラオケホスト装置（Ｈ）の利用者別視聴回数管理テーブル（Ｔ２）に記録している当該特定利用者のレコードデータ、すなわち、その利用者のその楽曲関連情報につき、表示期間内における視聴回数等のデータをカラオケ装置に送り、カラオケ装置は、これをＲＡＭ（１２）の利用者別視聴回数管理データ（ｔ２）として記憶する。そして、特定された利用者がこのリモコン装置（Ｒ）等により楽曲の選曲を行った際には、利用者別予約登録手段（４）により選曲楽曲が予約登録され、中央制御装置（１０）は、予約登録された楽曲に表示期間内の関連情報が付帯されているか否かを関連情報判別手段（５）にて判別し、表示期間内の関連情報が付帯されていると判別された場合には、利用者別視聴回数取得手段（６）を用いて、ＲＡＭ（１２）の利用者別視聴回数管理データ（ｔ２）を参照し、利用者の表示期間内の視聴回数を取得する。
【００１１】
そして、ＨＤＤ（１１）に記録されている楽曲関連情報管理テーブル（Ｔ１）の予め定められた個人単位の表示回数と、ＲＡＭ（１２）に記憶されている利用者の視聴回数を、利用者別関連情報表示判定手段（７）を用いて比較し、楽曲関連情報を表示するか否かを判定する。そして、楽曲関連情報を表示すると判定された場合には、楽曲関連情報表示手段（８）を用いて、楽曲関連情報は、映像制御部（１３）を介しモニター（１４）に表示されるか、リモコン装置（Ｒ）の表示部等（図示省略）の所定表示部に表示される。この楽曲関連情報の表示終了後に、中央制御装置（１０）は、利用者別視聴回数カウント手段（９）にて、ＲＡＭ（１２）の利用者別視聴回数管理データ（ｔ２）に記憶している、利用者の表示期間内の視聴回数に「１」を加算する。
【００１２】
そして、利用者により予約登録された楽曲は、楽曲ＩＤに基づき楽曲データベースより抽出されたデジタル信号は、ミキシングアンプ（１５）に入力され、デジタル信号をアナログ信号に変化してマイク（１７）の音声信号と共に増幅され、スピーカー（１６）から楽音と歌唱音声信号が放音される。
【００１３】
次に、図２に示す、楽曲関連情報管理テーブルの概略図と、図３の各利用者が楽曲関連情報を表示期間内に何回視聴したのかを示す、利用者別視聴回数管理テーブルの概略図について説明する。
【００１４】
図２の（Ａ）は、楽曲関連情報管理テーブル（Ｔ１）の概略図であり、カラオケホスト装置内の楽曲関連情報管理手段を用いて、カラオケ楽曲に付帯する楽曲関連情報を、表示期間と個人単位の表示回数を予め定め記録するものである。この楽曲関連情報管理テーブル（Ｔ１）の構成要件として、管理番号を示す「管理番号」フィールド（ｆ１）と、カラオケ装置で演奏される楽曲の楽曲ＩＤを示す「楽曲ＩＤ」フィールド（ｆ２）と、楽曲に付帯される楽曲関連情報の表示期間として、その表示開始時および表示終了時を示す「表示開始」フィールド（ｆ３）、「表示終了」フィールド（ｆ４）と、個人単位の表示回数、すなわち、表示期間内においての各利用者が楽曲関連情報を視聴できる回数を示す「表示回数」フィールド（ｆ５）と、楽曲に関連した情報の関連情報ＩＤを示す「関連情報ＩＤ」フィールド（ｆ６）からなり、関連情報ＩＤに対応付けられた楽曲関連情報としては（Ｂ）の楽曲関連情報一覧に示すもの等が考えられる。
【００１５】
次に、図３は、各利用者が楽曲関連情報を表示期間内に何回視聴したのかを示す、利用者別視聴回数管理テーブル（Ｔ２）の概略図であり、（Ａ）の利用者別視聴回数管理テーブル（Ｔ２）は、カラオケホスト装置に記録されている、利用者別視聴回数管理テーブル（Ｔ２）を示すものである。詳しくは、特定した利用者ＩＤを示す「利用者ＩＤ」フィールド（ｆ１）と、カラオケ楽曲の関連情報が楽曲ＩＤを示す「楽曲ＩＤ」フィールド（ｆ２）と、楽曲関連情報の表示開始時および表示終了時を示す「表示開始」フィールド（ｆ３）、「表示終了」フィールド（ｆ４）と、各利用者が表示期間内に何回楽曲に付帯した、楽曲関連情報を視聴したのかを管理する「視聴回数」フィールド（ｆ５）からなる。そして、（Ｂ）の利用者別視聴回数管理データ（ｔ２）は、図１においてＲＡＭ（１２）に記憶されている利用者別視聴回数管理データ（ｔ２）を示すものであり、本実施例では、「利用者Ａ」が楽曲「*****ｅ」、「*****ｌ」に付帯している、楽曲関連情報を視聴した回数を示している。
【００１６】
次に図４に示す、「利用者Ａ」の楽曲関連情報表示の可否および楽曲関連情報の表示例に関して説明する。
【００１７】
図４は、「利用者Ａ」の楽曲関連情報表示の可否および表示例を示しており、（ａ）の楽曲関連情報管理テーブルに基づく表示回数には、楽曲「*****ｅ」、「*****ｌ」の予め定められた表示期間および表示回数「５回」と「８回」を示しており、（ｂ）の利用者別視聴回数管理データには、実際に「利用者Ａ」が表示期間内に楽曲「*****ｅ」、「*****ｌ」の楽曲関連情報を何回視聴したのか示しており、この表示回数と「利用者Ａ」の視聴回数を比較することにより、「利用者Ａ」が予約登録した楽曲「*****ｅ」、「*****ｌ」に関連する楽曲情報を表示するか否かが判定される。詳しくは、（ｃ）の「利用者Ａ」の楽曲関連情報表示可否が示すように、「*****ｅ」の個人単位の表示回数は「５回」であり、実際に「利用者Ａ」が表示期間内に楽曲関連情報を視聴した回数は「３回」となり、視聴回数が表示回数未満となるため、今回の楽曲「*****ｅ」の予約登録時には、関連情報ＩＤ「＃＃＃１」の楽曲関連情報が表示すると判定される。片や、楽曲「*****ｌ」に関して、個人単位の表示回数は「８回」であり、実際に「利用者Ａ」が表示期間内に楽曲関連情報を視聴した回数は「８回」となるため、表示回数と視聴回数が未満となるために（等しくなるため）、今回の楽曲「*****ｌ」の予約登録時には、関連情報ＩＤ「＃＃＃７」の楽曲関連情報は表示しないと判定される。
【００１８】
そして、この判定結果を基に表示される表示例が、（ｄ）楽曲関連情報の表示例であり、すなわち、楽曲「*****ｅ」が予約登録された際に、関連情報ＩＤ「＃＃＃１」の楽曲関連情報を表示した表示例である。この表示画面は、「利用者Ａ」が選曲し予約登録した楽曲の曲名、歌手名、リクエストＮＯを示す、予約登録楽曲表示部（Ｄａ）と、この予約登録楽曲に付帯する楽曲関連情報を示す、楽曲関連情報表示部（Ｄｂ）から構成されており、表示期間外の楽曲関連情報や、視聴回数が表示回数未満となくなった場合には、当該楽曲関連情報表示部（Ｄｂ）は表示されなくなる。
【００１９】
次に、図５に示す、楽曲関連情報の表示処理フローを用いて、利用者が楽曲を予約登録した後に、楽曲に付帯される楽曲関連情報が表示されるまでの処理の流れを説明する。
【００２０】
図５は、楽曲関連情報を表示する処理の流れを示すもので、楽曲に付帯する表示期間と個人単位の表示回数が定められた楽曲関連情報は、予めカラオケ事業者等によりカラオケホスト装置内の楽曲関連情報管理テーブルに記録されており、定期的な更新後にカラオケホスト装置からカラオケ装置に送られる。そして、利用者がリモコン装置の利用者ＩＤ取得手段を用いて、利用者ＩＤを取得し、本カラオケシステムへのログイン処理が行われると、利用者ＩＤが特定され（Ｓ１）、特定された際にはカラオケ装置は、カラオケホスト装置から特定利用者の楽曲関連情報の視聴回数が含まれた、利用者別視聴回数管理テーブルにおける当該利用者のレコードデータがダウンロードされ、利用者の選曲楽曲が、利用者ＩＤに紐づけされ予約待ち行列に登録される（Ｓ２）、次に、予約登録された楽曲に付帯する表示期間内の楽曲関連情報があるか否かを判別し（Ｓ３）、表示期間内の楽曲関連情報がある場合には、利用者別視聴回数管理データを参照し、利用者ＩＤと楽曲ＩＤに基づき、利用者の楽曲関連情報の視聴回数を取得する（Ｓ４）。
【００２１】
そして、楽曲関連情報管理テーブルに記録されている予め定められた個人単位の表示回数と、取得した利用者の視聴回数を比較した結果（Ｓ５）、利用者の視聴回数が表示回数未満の場合には、楽曲関連情報を表示（Ｓ６）し、表示終了後、利用者ＩＤと楽曲ＩＤに基づき楽曲関連情報を紐づけて、利用者別視聴回数管理データの視聴回数に「１」を加算する（Ｓ７）。そして、楽曲関連情報の表示終了後、当該楽曲関連情報に付帯される楽曲が演奏された後（Ｓ８）、利用者が利用者ＩＤを消去、すなわち、本カラオケシステムからのログアウト処理が行われたと確認された場合（Ｓ９）、カラオケ装置内のＲＡＭに記憶している利用者別視聴回数管理データの、利用者ＩＤと楽曲ＩＤに基づき紐づけられている楽曲関連情報の視聴回数等からなるレコードデータをカラオケホスト装置にアップロードし、カラオケホスト装置の利用者別視聴回数管理テーブルの当該利用者のレコードデータが更新される。
【００２２】
このようなシステムによれば、カラオケ楽曲に付帯する楽曲関連情報を、予め定め記録している表示期間および表示回数と、楽曲を選曲し予約登録した利用者の視聴回数を比較し、楽曲関連情報を表示するか否かを判定することにより、利用者に手間をかけることなく、各利用者一定の視聴回数で楽曲関連情報を視聴できる。よって、表示期間内では、定められた表示回数以上は表示されず、また、誰でも予め定められた視聴回数内であれば変わりなく視聴することが可能となり、利用者の選曲状況による楽曲関連情報表示の偏りがなくなり、各利用者が表示期間内に効果的な視聴回数で楽曲関連情報を提供できる。
【図面の簡単な説明】
【００２３】
【図１】本カラオケシステムのブロック構成図
【図２】楽曲関連情報管理テーブルの概略図
【図３】利用者別視聴回数管理テーブルの概略図
【図４】利用者Ａの楽曲関連情報の可否および楽曲関連情報の表示例
【図５】楽曲関連情報の表示処理を示すフロー
【符号の説明】
【００２４】
１           カラオケシステム
２           楽曲関連情報管理手段
３           利用者ＩＤ取得手段
４           利用者別予約登録手段
５           関連情報判別手段
６           利用者別視聴回数取得手段
７           利用者関連情報表示判定手段
８           楽曲関連情報表示手段
９           利用者別視聴回数カウント手段
１０         中央制御手段
１１         ハードディスク
１２         ＲＡＭ
Ｔ１         楽曲関連情報管理テーブル
Ｔ２         利用者別視聴回数管理テーブル
ｔ２         利用者別視聴回数管理データ
Ｐ          
カラオケ装置
Ｒ           リモコン装置
【図３】
2009244685.tif 000003
【図４】
2009244685.tif 000004
【図５】
2009244685.tif 000005
【図１】
2009244685.tif 000006
【図２】
2009244685.tif 000007